(57)【要約】      （修正有）【課題】ボタンに押圧効果を具備させるだけでなく、より多くの使用機能を具備させることができる、ディスプレイを備えたデジタルエンコーダを提供する。【解決手段】デジタルエンコーダは、主にボタン本体と、該ボタン本体内部に設置され、かつディスプレイ搭載ユニット２１と、該ディスプレイ搭載ユニット２１上に設置されたディスプレイ部材２１１と、該ディスプレイ搭載ユニット２１中に設置されたディスプレイ回路部材２３を含むディスプレイモジュールと、該ディスプレイモジュールの一側に連結された回転モジュールと、該回転モジュールが可動的に設置される搭載ケース４と、該回転モジュールと該搭載ケース４の間に設置されたロータリーエンコーディングセンサー５と押圧部材６を含み、モジュール化構造によりボタン本体の組立てがより容易にでき、ボタン本体に同時に表示、押圧、回転の機能を具備させ、使用上の利便性を向上する。【選択図】図２
0003223396.tif 000002
【実用新案登録請求の範囲】
【請求項１】
ディスプレイを備えたデジタルエンコーダであって、主に、ボタン本体と、ディスプレイモジュールと、回転モジュールと、搭載ケースと、ロータリーエンコーディングセンサーと、押圧部材を含み、
該ディスプレイモジュールが該ボタン本体中に設置され、ディスプレイ部材と、ディスプレイ搭載ユニットと、ディスプレイ回路部材を含み、該ディスプレイ部材が該ディスプレイ搭載ユニット上に設置され、該ディスプレイ回路部材が該ディスプレイ搭載ユニット中に設置され、かつ該ディスプレイ部材とデータ接続され、
該回転モジュールが該ディスプレイモジュールの一側に設置され、該ディスプレイモジュールが該回転モジュール上に連接され、
該搭載ケースが該ボタン本体内に設置され、かつ該回転モジュールが該搭載ケース上に可動的に設置され、
該ロータリーエンコーディングセンサーが該搭載ケース上に可動的に設置され、かつ該回転モジュールと該搭載ケースの間に位置し、該ロータリーエンコーディングセンサーが該回転モジュールの回転動作を検出するために用いられ、
該押圧部材が該搭載ケースと該ロータリーエンコーディングセンサーの間に設置され、かつ該ロータリーエンコーディングセンサー上に連接される、
ことを特徴とする、ディスプレイを備えたデジタルエンコーダ。
【請求項２】
前記ディスプレイ搭載ユニットが、ディスプレイカバーと、カバー通孔と、ディスプレイ搭載部材を備え、該カバー通孔が該ディスプレイカバー上に形成され、該ディスプレイカバーが該ディスプレイ搭載部材上に設置され、該ディスプレイ部材が該カバー通孔箇所に設置される、ことを特徴とする、請求項１に記載のディスプレイを備えたデジタルエンコーダ。
【請求項３】
前記回転モジュールが、回転部材と、該回転部材内に設置された回転盤状部材を含む、ことを特徴とする、請求項１に記載のディスプレイを備えたデジタルエンコーダ。
【請求項４】
前記回転部材上に少なくとも１つの滑り止め部が設けられたことを特徴とする、請求項３に記載のディスプレイを備えたデジタルエンコーダ。
【請求項５】
前記ロータリーエンコーディングセンサー上に光センサーモジュールが設置され、光学的に該回転モジュールの回転動作を検出することを特徴とする、請求項１に記載のディスプレイを備えたデジタルエンコーダ。
【請求項６】
前記光センサーモジュールが、反射部材と、少なくとも１つの光学センサーを含み、該光学センサーが該ロータリーエンコーディングセンサー上に設置され、該反射部材が該回転モジュール上に設置され、かつ位置が該光学センサーに対応することを特徴とする、請求項５に記載のディスプレイを備えたデジタルエンコーダ。
【請求項７】
前記反射部材上に複数の反射部と、各該反射部の一側に設けられた複数の非反射部が設けられたことを特徴とする、請求項６に記載のディスプレイを備えたデジタルエンコーダ。
【請求項８】
前記押圧部材の一側に弾性部材が設置され、かつ該弾性部材の両端が該搭載ケースと該ロータリーエンコーディングセンサーにそれぞれ接触することを特徴とする、請求項１に記載のディスプレイを備えたデジタルエンコーダ。
【請求項９】
前記ディスプレイモジュール上にタッチ制御部材が設置され、かつ該タッチ制御部材が該ディスプレイ回路部材にデータ接続されることを特徴とする、請求項１に記載のディスプレイを備えたデジタルエンコーダ。
【考案の詳細な説明】
【技術分野】
【０００１】
本考案は複数の使用機能を具備する、ディスプレイを備えたデジタルエンコーダに関する。
【背景技術】
【０００２】
いわゆるボタンまたはキーは、いずれも押圧の動作を通じてキートップを動かし、それにより内部の回路に信号を生成させて接続された電子機器に伝送し、制御の効果を達成するが、一般的なボタンはいずれも単一の機能しかなく、即ち、押圧の方式を通じて制御信号を伝送することしかできず、使用上の機能を増加したい場合、かなり手間がかかり、かつ全体の構造が非常に複雑になりやすいため、ほとんどのボタンはやはり単一の押圧機能を具備するに留まっている。
【考案の概要】
【考案が解決しようとする課題】
【０００３】
本考案の主な目的は、ボタンに押圧効果を具備させるだけでなく、より多くの使用機能を具備させることができる、ディスプレイを備えたデジタルエンコーダを提供することにある。
【課題を解決するための手段】
【０００４】
本考案のディスプレイを備えたデジタルエンコーダは主に、ボタン本体と、該ボタン本体中に設置されたディスプレイモジュールと、該ディスプレイモジュールの一側に設置され、かつ該ディスプレイモジュールと相互に連結された回転モジュールと、該ボタン本体内に設置され、該回転モジュールが可動的に設置される搭載ケースと、該搭載ケース上に設置され、かつ該回転モジュールと該搭載ケースの間に配置されたロータリーエンコーディングセンサーと、該搭載ケースと該ロータリーエンコーディングセンサーの間に設置された押圧部材を含み、そのうち、該ディスプレイモジュールが、ディスプレイ部材と、ディスプレイ搭載ユニットと、ディスプレイ回路部材を含み、該ディスプレイ部材が該ディスプレイ搭載ユニット上に設置され、該ディスプレイ回路部材が該ディスプレイ搭載ユニット中に設置され、かつ該ディスプレイ部材とデータ接続される。
【０００５】
請求項１に記載するディスプレイを備えたデジタルエンコーダは、主に、ボタン本体と、ディスプレイモジュールと、回転モジュールと、搭載ケースと、ロータリーエンコーディングセンサーと、押圧部材を含み、
該ディスプレイモジュールが該ボタン本体中に設置され、ディスプレイ部材と、ディスプレイ搭載ユニットと、ディスプレイ回路部材を含み、該ディスプレイ部材が該ディスプレイ搭載ユニット上に設置され、該ディスプレイ回路部材が該ディスプレイ搭載ユニット中に設置され、かつ該ディスプレイ部材とデータ接続され、
該回転モジュールが該ディスプレイモジュールの一側に設置され、該ディスプレイモジュールが該回転モジュール上に連接され、
該搭載ケースが該ボタン本体内に設置され、かつ該回転モジュールが該搭載ケース上に可動的に設置され、
該ロータリーエンコーディングセンサーが該搭載ケース上に可動的に設置され、かつ該回転モジュールと該搭載ケースの間に位置し、該ロータリーエンコーディングセンサーが該回転モジュールの回転動作を検出するために用いられ、
該押圧部材が該搭載ケースと該ロータリーエンコーディングセンサーの間に設置され、かつ該ロータリーエンコーディングセンサー上に連接される。
【０００６】
請求項２に記載するディスプレイを備えたデジタルエンコーダは、請求項１におけるディスプレイ搭載ユニットが、ディスプレイカバーと、カバー通孔と、ディスプレイ搭載部材を備え、該カバー通孔が該ディスプレイカバー上に形成され、該ディスプレイカバーが該ディスプレイ搭載部材上に設置され、該ディスプレイ部材が該カバー通孔箇所に設置される。
【０００７】
請求項３に記載するディスプレイを備えたデジタルエンコーダは、請求項１における回転モジュールが、回転部材と、該回転部材内に設置された回転盤状部材を含む。
【０００８】
請求項４に記載するディスプレイを備えたデジタルエンコーダは、請求項３における回転部材上に少なくとも１つの滑り止め部が設けられる。
【０００９】
請求項５に記載するディスプレイを備えたデジタルエンコーダは、請求項１におけるロータリーエンコーディングセンサー上に光センサーモジュールが設置され、光学的に該回転モジュールの回転動作を検出する。
【００１０】
請求項６に記載するディスプレイを備えたデジタルエンコーダは、請求項５における光センサーモジュールが、反射部材と、少なくとも１つの光学センサーを含み、該光学センサーが該ロータリーエンコーディングセンサー上に設置され、該反射部材が該回転モジュール上に設置され、かつ位置が該光学センサーに対応する。
【００１１】
請求項７に記載するディスプレイを備えたデジタルエンコーダは、請求項６における反射部材上に複数の反射部と、各該反射部の一側に設けられた複数の非反射部が設けられる。
【００１２】
請求項８に記載するディスプレイを備えたデジタルエンコーダは、請求項１における押圧部材の一側に弾性部材が設置され、かつ該弾性部材の両端が該搭載ケースと該ロータリーエンコーディングセンサーにそれぞれ接触する。
【００１３】
請求項９に記載するディスプレイを備えたデジタルエンコーダは、請求項１におけるディスプレイモジュール上にタッチ制御部材が設置され、かつ該タッチ制御部材が該ディスプレイ回路部材にデータ接続される。
【考案の効果】
【００１４】
上述の構造により、使用者は上から下へ、ディスプレイモジュールと、回転モジュールと、ロータリーエンコーディングセンサーと、押圧部材をそれぞれ搭載ケース上に設置することができ、即ち、モジュール化した設置方式でボタン本体を組み立てることができ、ボタン本体を必要な電子機器に接続して制御を行うことができる。使用者はディスプレイモジュールの位置を押して、回転モジュールとロータリーエンコーディングセンサーを動かし、押圧部材を押圧して、押圧の効果を達成する。または、回転モジュールを回動させることで、ロータリーエンコーディングセンサーにより回転モジュールの回動角度を検出し、それにより回転信号を電子機器へ伝送することができる。押圧の結果または回動の結果のどちらも、ディスプレイモジュール中のディスプレイ部材上に表示されるため、ボタン本体に複数の機能を同時に具備させることができる。
【図面の簡単な説明】
【００１５】
【図１】本考案の実施例の立体外観図である。
【図２】本考案の実施例の立体分解図である。
【図３】本考案の実施例の構造を示すブロック図である。
【図４】本考案の実施例の組立てを示す立体分解図１である。
【図５】本考案の実施例の組立てを示す立体分解図２である。
【図６】本考案の実施例の押圧を示す断面図である。
【図７】本考案の実施例の回動を示す立体図である。
【図８】本考案の実施例の回動を示す断面図である。
【図９】本考案の別の実施例の立体分解図である。
【図１０】本考案の別の実施例の摺動を示す立体図である。
【図１１】本考案の別の実施例の回動を示す立体図である。
【図１２】本考案の別の実施例の回動を示す断面図である。
【考案を実施するための形態】
【００１６】
図１から図３を参照する。これらの図からはっきりと分かるように、本考案は、ボタン本体１と、該ボタン本体１中に設置されたディスプレイモジュール２と、該ディスプレイモジュール２の一側に設置された回転モジュール３と、該ボタン本体１内に設置された搭載ケース４と、該搭載ケース４上に可動的に設置されたロータリーエンコーディングセンサー５と、該ロータリーエンコーディングセンサー５と該搭載ケース４の間に設置された押圧部材６と、該押圧部材６の周囲に設置された弾性部材７と、を含む。
【００１７】
該ディスプレイモジュール２が、ディスプレイ搭載ユニット２１と、該ディスプレイ搭載ユニット２１上に設置されたディスプレイ部材２２と、該ディスプレイ搭載ユニット２１中に設置され、かつ該ディスプレイ部材２２と相互に連結されたディスプレイ回路部材２３を含み、そのうち、該ディスプレイ搭載ユニット２１が、ディスプレイ搭載部材２１１と、該ディスプレイ搭載部材２１１上に設置されたディスプレイカバー２１２と、該ディスプレイカバー２１２上に形成されたカバー通孔２１３を備え、該ディスプレイ部材２２が該カバー通孔２１３箇所に位置し、本実施例において、該ディスプレイ部材２２はＬＥＤディスプレイであり、該ディスプレイ回路部材２３が該ディスプレイ部材２２を制御する制御回路板であり、該ディスプレイ搭載ユニット２１が該ディスプレイ部材２２と該ディスプレイ回路部材２３を設置するハウジングであり、かつディスプレイカバー２１２上に該ディスプレイ搭載部材２１１を嵌合させる凹陥溝２１４が形成され、該ディスプレイ搭載部材２１１上に該凹陥溝２１４内に嵌入できる弾性ツメ２１５が設けられる。
【００１８】
該回転モジュール３が、回転部材３１と、該回転部材３１内に設置される回転盤状部材３２を含み、本実施例において、該回転部材３内部に複数の凹部３１２が設けられ、回転盤状部材３２上に各凹部３１２に対応する複数の突起３２１が設けられ、該突起３２１を該凹部３１２中に嵌入することで、回転盤状部材３２を該回転部材３１上に嵌合することができる。
【００１９】
該回転部材３１上に複数の滑り止め部３１１が設けられ、該滑り止め部３１１は本実施例において、該回転部材３１上に形成されたリブである。
【００２０】
本実施例において、該搭載ケース４は該回転モジュール３を可動的に設置できるプラスチックハウジングであり、かつ該回転部材３１内に環状凹陥槽３１３が形成され、かつ該搭載ケース４上に該環状凹陥槽３１３内に対応して嵌入できるケースツメ４１が設けられ、これにより該回転部材３１を該搭載ケース４上に枢設することができる。
【００２１】
該ロータリーエンコーディングセンサー５が該回転モジュール３の一側に可動的に設置され、機械的な方式で該回転モジュール３の回転角度を検出することができ、本実施例において、該ロータリーエンコーディングセンサー５上に複数の通孔５１が設けられ、該搭載ケース４上に各通孔５１に対応する複数の柱体４２が設置され、これにより該通孔５１を該柱体４２に合わせて該ロータリーエンコーディングセンサー５を該搭載ケース４の中に配置し、該搭載ケース４内に可動的に設置することができる。
【００２２】
本実施例において、該押圧部材６がスイッチ（SWITCH）である。
【００２３】
該弾性部材７の両端が該搭載ケース４とロータリーエンコーディングセンサー５にそれぞれ当接され、該弾性部材７が該押圧部材６の復帰動作を補助するばねである。
【００２４】
上述の説明から、本技術の構造を理解することができるであろう。この構造の組み合わせにより、ボタン本体１に複数の使用機能を具備させることができ、以下でより詳細に説明する。
【実施例１】
【００２５】
図１から図８を同時に参照する。これらの図からはっきりと分かるように、使用者はまず押圧部材６をロータリーエンコーディングセンサーロータリーエンコーディングセンサー５上に連接する。この連接方式は本実施例では嵌合を例とし、かつ弾性部材７を押圧部材６の外側に被せて設置する。続いてロータリーエンコーディングセンサー５上の通孔５１を搭載ケース４上の柱体４２に合わせてから、ロータリーエンコーディングセンサー５を搭載ケース４上に組み込み、その後突起３２１と凹部３１２を合わせて回転盤状部材３２を回転部材３１上に嵌合し、搭載ケース４上のケースツメ４１を回転部材３１中の環状凹陥槽３１３中に対応させて嵌入し、ケースツメ４１を環状凹陥槽３１内に摺動可能に位置規制することで、回転モジュール３を搭載ケース４上に枢設する。
【００２６】
その後ディスプレイ回路部材２３をディスプレイ搭載ユニット２１中のディスプレイ搭載部材２１１上に配置し、同時にディスプレイ部材２２をディスプレイ回路部材２３上にデータ接続してから、ディスプレイカバー２１２を取り付け、弾性ツメ２１５を凹陥溝２１４内に嵌入させて、ディスプレイカバー２１２をディスプレイ搭載部材２１１上に固定すると、ディスプレイモジュール２が組立てられ、かつディスプレイ部材２２がカバー通孔２１３箇所に位置するため、使用者がカバー通孔２１３でディスプレイ部材２２に表示される内容を見ることができ、最後にディスプレイモジュール２を回転盤状部材３２上に設置して、該ボタン本体１を構成することができる。組立て時、ディスプレイモジュール２、回転モジュール３のいずれもモジュール化した方式で組み立てられるため、組立て時の利便性と迅速性が向上される。上述の組立て及び固定方式はいずれも嵌合を例としているが、これに限らない。
【００２７】
使用者は使用時、ボタン本体１の各種機能を利用して多様な使用効果が得られる。図６に示すように、ディスプレイモジュール２の位置を押すと、回転盤状部材３２、及びロータリーエンコーディングセンサー５が動かされ、これにより押圧部材６が押されて搭載ケース４に接触し、押圧部材６に押圧信号を生成させ、ボタン本体１に押圧の効果を具備させることができる。かつ、押圧の過程で、弾性部材７が全体の動作を補助し、かつ回復力を増加するため、押圧時より円滑になり、使用者が押圧したときのフィードバック感が高められる。
【００２８】
使用者はさらに図２、図７、図８に示すように、搭載ケース４上のケースツメ４１が回転部材３１の環状凹陥槽３１３内に摺動可能に位置規制されるため、回転部材３１を回動させて、ケースツメ４１を環状凹陥槽３１３内で摺動させ、回転盤状部材３２を回動させることができる。回動時使用者が滑り止め部３１１の位置を持つと、回動の効果をより完全に伝達できる。回転モジュール３の回動時、ロータリーエンコーディングセンサー５が回転盤状部材３２の回動角度を検出して、回転の信号を生成し、例えば音量調整に用いるなどの回転調整機能の具備を達成することができる。本実施例中のロータリーエンコーディングセンサー５はメカニカルエンコーダと同じであるため、その構造と検出方式については説明を省略する。かつ、上述の押圧及び回転の過程で、信号がディスプレイ部材２２上に伝送され、使用者はディスプレイ部材２２上で使用状況を確認することができる。
【実施例２】
【００２９】
同時に図９から図１２を参照する。これらの図からはっきりと分かるように、本実施例は上述の実施例とほぼ同じであるが、ディスプレイ部材２２ａ上にタッチ制御部材２４ａが設置されており、本実施例において、タッチ制御部材２４ａはディスプレイ部材２２ａ上に固定されたタッチパネルであり、固定方式は本実施例において嵌合を例とし、ボタン本体１ａにさらにタッチ制御機能を具備させることができる。かつ図１０に示すように、摺動方式でディスプレイ部材２２ａに「ＯＦＦ」のテキストを表示させることで、オフの信号を必要な電子機器に伝送することができる。このように、ボタン本体１ａはタッチ制御機能があってもよい。
【００３０】
さらに、ロータリーエンコーディングセンサー５ａ上に光センサーモジュール８ａが設置され、この光センサーモジュール８ａは、回転盤状部材３２ａのロータリーエンコーディングセンサー５ａ近くの一側に設置された反射部材８１ａと、ロータリーエンコーディングセンサー５ａ上に設置された複数の光学センサー８２ａを含み、光学センサー８２ａは赤外線を発し、反射された赤外線を受け取る赤外線センサーとすることができ、反射部材８１ａ上に複数の反射部８１１ａと、反射部８１１ａの隣に設けられた複数の非反射部８１２ａが設置される。本実施例において、反射部材８１ａは回転盤状部材３２ａ上に貼着されたシールであり、かつロータリーエンコーディングセンサー５ａに近い一面が白黒交互に配置された反射部８１１ａと非反射部８１２ａを備えている。これにより、光学センサー８２ａが発する赤外線が反射部８１１ａに照射されると、赤外線が光学センサー８２ａ上に反射されて戻り、赤外線が非反射部８１２ａに照射されると戻らず、回転部材３１ａを回動させて回転盤状部材３２ａを回動させたとき、光学センサー８２ａが受け取る信号が絶えず変化し、回転盤状部材３２ａの回動角度を判断することができるため、ロータリーエンコーディングセンサー５ａと組み合わせて回動角度検出の正確性を強化できる。
【符号の説明】
【００３１】
１、１ａ    ボタン本体
２    ディスプレイモジュール
２１    ディスプレイ搭載ユニット
２１１    ディスプレイ搭載部材
２１２    ディスプレイカバー
２１３    カバー通孔
２１４    凹陥溝
２１５    弾性ツメ
２２、２２ａ    ディスプレイ部材
２３    ディスプレイ回路部材
２４ａ    タッチ制御部材
３    回転モジュール
３１、３１ａ    回転部材
３１１    滑り止め部
３１２    凹部
３１３    環状凹陥槽
３２、３２ａ    回転盤状部材
３２１    突起
４    搭載ケース
４１    ケースツメ
４２    柱体
５、５ａ    ロータリーエンコーディングセンサー
５１    通孔
６    押圧部材
７    弾性部材
８ａ    光センサーモジュール
８１ａ    反射部材
８１１ａ    反射部
８１２ａ    非反射部
８２ａ    光学センサー
【図１】
0003223396.tif 000003
【図２】
0003223396.tif 000004
【図３】
0003223396.tif 000005
【図４】
0003223396.tif 000006
【図５】
0003223396.tif 000007
【図６】
0003223396.tif 000008
【図７】
0003223396.tif 000009
【図８】
0003223396.tif 000010
【図９】
0003223396.tif 000011
【図１０】
0003223396.tif 000012
【図１１】
0003223396.tif 000013
【図１２】
0003223396.tif 000014